(57)【要約】【課題】  フィルム材を部品外縁に沿った形状に予備成形すること、真空成形時に突起や窪みなどの吸入孔の跡をなくすこと、フィルム材のインサート成形時にしわの発生をなくし、外観が良く、防汚性に優れたトイレ装置が得ることにある。【解決手段】  フィルム材１がインサート成形された成形品を具備するトイレ装置において、厚さ０．５ｍｍ以上１．０ｍｍ未満のフィルム材１が、成型品の外縁に沿った形状に真空成形で予備成形されている。フィルム材１の真空成形における吸引方向はインサート成形時に金型面と接しない方向とし、真空成形における吸引孔径を０．４ｍｍ以下とした。【選択図】  図１
2005161747.tif 000002
【特許請求の範囲】
【請求項１】
フィルム材がインサート成形された成形品を具備するトイレ装置において、前記フィルム材が、前記成型品の外縁に沿った形状に真空成形で予備成形されていることを特徴とするトイレ装置。
【請求項２】
前記フィルム材の厚さが０．５ｍｍ以上１．０ｍｍ未満であることを特徴とする請求項１記載のトイレ装置。
【請求項３】
前記フィルム材の真空成形における吸引方向が、インサート成形時に金型面と接しない方向であることを特徴とする請求項１又は２記載のトイレ装置。
【請求項４】
前記フィルム材の真空成形における吸引孔径が、０．４ｍｍ以下であることを特徴とする請求項１〜３のいずれかに記載のトイレ装置。
【発明の詳細な説明】
【技術分野】
【０００１】
本発明は、フィルム材がインサート成形された成形品を有するトイレ装置に関する発明である。
【背景技術】
【０００２】
従来のフィルム材がインサート成形された成形品を有するトイレ装置として、便座底板において、フィルム材を底板形状に成形する工程と流動状樹脂を供給して固化させる工程とを有していた（例えば特許文献１）。このような場合、フィルム材を型から取り出さないで引き続きインサート成形するために、フィルム材に歪が残り、密着性に問題があった。
【０００３】
また、真空成形で実施する場合、フィルムの露出面が雌型と接するために、表面に吸引孔による突起が発生する。これを避けるために、真空成形時にはフィルムの露出面が雌型と接しない面とした場合、表面に吸引孔による窪みが発生する。これにより、汚れが付きやすく、落としにくいため、トイレ装置として衛生面で問題があるだけでなく、外観を満足する形状に成形できない問題があった。
【０００４】
さらに、構成部品に関わらずに発生する問題として、インサート成形時に射出圧によるフィルムのずれが発生し、しわが発生し、平滑な表面を形成できないために、外観を満足する形状に成形できない問題があった。
【特許文献１】特開２００３−９３２７１号公報  （第６頁、第４図）
【発明の開示】
【発明が解決しようとする課題】
【０００５】
本発明は上記問題を解決するためになされたもので、本発明の課題は、フィルム材を部品外縁に沿った形状に予備成形すること、真空成形時に突起や窪みなどの吸入孔の跡をなくすこと、フィルム材のインサート成形時にしわの発生をなくし、外観が良く、防汚性に優れたトイレ装置が得ることである。
【課題を解決するための手段】
【０００６】
以上のような目的を達成するために、請求項１に示したように、フィルム材がインサート成形された成形品を具備するトイレ装置において、前記フィルム材が、前記成型品の外縁に沿った形状に真空成形で予備成形されていることした。これにより、フィルム材に歪が残らず、フィルムとの密着性を高めることができるため、防汚性に優れたトイレ装置が得られる。
【０００７】
また、請求項２記載の発明によれば、前記フィルム材の厚さが０．５ｍｍ以上１．０ｍｍ未満とした。これにより、前記便器用部材の表面に配置されるフィルム材にしわがなくかつ良好な形状を実現できるため、防汚性に優れたトイレ装置が得られる。
【０００８】
また、請求項３記載の発明によれば、前記フィルム材の真空成形時における吸引方向はインサート成形時に金型面と接しない方向とした。これにより、成型品の外観面には真空吸引の跡が残らない平滑な表面を実現できるため、外観が良く、防汚性に優れたトイレ装置が得られる。
【０００９】
さらに、請求項４記載の発明によれば、前記フィルム材の真空成形時の吸引孔径が０．４ｍｍ以下とした。これにより、成形品の外観面に真空吸引の跡が残らない平滑な表面を実現できるため、外観が良く、防汚性に優れたトイレ装置が得られる。
【発明の効果】
【００１０】
本発明によれば、フィルム材が真空成形で予備成形されることにより、フィルム材に歪が残らず、密着性を高めるという効果がある。また、便器用部材の表面に配置されるフィルム材にしわがなく、かつ良好な形状を実現できるため、防汚性を高めるという効果がある。また、成型品の外観面には真空吸引の跡が残らない平滑な表面を実現できるため、外観を良くする、防汚性を高めるという効果がある。さらに、部材の外観面に真空吸引の跡が残らない平滑な表面を実現できるため、外観を良くする、防汚性を高めるという効果がある。
【発明を実施するための最良の形態】
【００１１】
図１はフィルム材の真空成形工程の一つを示す断面図である。フィルム材１をクランプしたまま加熱軟化させ、雌型２とフィルム材１との隙間を吸入孔３から空気を引いて真空にして、フィルム材１を雌型２に密着させて成形し、冷却後真空を切ってフィルム材１を取りだす。その後、フィルム材１の一部をトリミングして、フィルム材１の予備成形が終了する。フィルム材１を真空成形で予備成形することで、フィルム材１に歪が残らず、フィルム材１と成型品との密着性を高めることができる。
【００１２】
図２はフィルム材１を有する便座をインサート成形で製造する場合の製造工程を示す断面図である。射出成形用金型５は、可動型６と固定型７とからなる。図２（ａ）に示すように射出成形用金型内（可動型６内）に予備成形されたフィルム材１を配置した後、射出成形用金型５を閉じ、キャビティ８を形成する。次に、図２（ｂ）に示すように、固定型７に設けた射出口９より溶融樹脂１０をキャビティ８に射出充満させ、樹脂を固化させ、樹脂成形品１１を形成するのと同時にその表面にフィルム材１を接着させる。その後、図２（ｃ）に示すように樹脂成形品１１を冷却した後、射出成形用金型５を開いてトイレ装置の部品を得る。
【００１３】
フィルム材１の厚さは０．５ｍｍ以上１．０ｍｍ未満とした。薄いほど真空成形時の成形性が良く、１．０ｍｍ未満ならば現状のトイレ装置各種部品形状を成形できる。しかし、フィルム材１の厚さが０．４ｍｍ以下である場合、薄いほどインサート成形時の射出圧によるズレが発生し、しわが発生する。そのため、フィルム材厚さは０．５ｍｍ以上１．０ｍｍ未満が好ましい。
【００１４】
フィルム材１の真空成形時の雌型接触面４は金型５に接しない様にする。図１に説明したように、フィルム材１は吸入孔３から空気を引いて真空成形するため、吸入孔３の部分において雌型接触面４には突起が発生するが、部品表面に露出しない。
【００１５】
吸入孔３の大きさは直径０．４ｍｍ以下とする。フィルム材１の真空成形時、雌型接触面４が金型５に接しない様にした場合、裏面である表面には窪みが発生する。窪みの大きさは吸入孔の大きさに比例し、直径０．５ｍｍ以上では窪みが発生した。
【００１６】
このようにして、本発明のフィルム材１がインサート成形された樹脂成形品１１を有するトイレ装置を得ることができる。
【実施例】
【００１７】
図３はフィルム材がインサート成形された成形品を有する局部洗浄用便座を配したトイレ装置を示す斜視図である。図４は便器１２のロータンクと一体化されたタイプの局部洗浄用便座を設備した別の様態のトイレ装置を示す斜視図である。フィルム材がインサート成形された成形品とは、本体ケース１３、便座１４、便蓋１５、操作盤１６、ノズルロッド１７、ノズルヘッド１８、ロータンク内蔵の本体ケース１９、などの事である。
【００１８】
図５はフィルム材の一例を示すもので、片面にシリコーン樹脂層、他面に低融点ポリプロピレン樹脂層をつけてなる熱可塑性樹脂フィルムの断面図である。低表面自由エネルギー層を形成する熱可塑性樹脂フィルム２０は、片面に熱硬化型シリコーン樹脂層２１が、接着層２２を介してシリコーン塗布可能ポリプロピレン層２４に積層され、また便座の基材ポリプロピレン樹脂よりも３０℃低い融点の低融点ポリプロピレン樹脂層２５が接着層２４を介して積層されて厚さ０．６ｍｍのフィルム材として得られたものである。ここで、熱硬化型シリコーン樹脂層２２と接着層２３は１０μｍ、シリコーン塗布可能ポリプロピレン層２３は５０μｍ、接着層２４と低融点ポリプロピレン層２５とが０．５ｍｍである。
【００１９】
以上のようにして得た熱可塑性樹脂フィルムを便座本体の表面形状に真空成形した。真空成形時の吸引方向は熱可塑性樹脂フィルムが雌型と接しない方向とする。また、吸入孔３の大きさは直径０．４ｍｍとする。
【００２０】
真空成形後の前記熱可塑性フィルムをインサート成形するための金型内に配置し、金型内にポリプロピレン樹脂を射出して、図４のような、最外層がシリコーン樹脂層となったポリオレフィン成形体からなる便座１４を得ることできる。
【００２１】
このようにして、本発明のフィルム材がインサート成形された成形品を有するトイレ装置を得ることができる。
【図面の簡単な説明】
【００２２】
【図１】本発明のフィルム材を真空成形する工程の一つを示す断面図である。
【図２】本発明のインサート成形で製造する製造工程の一つを示す断面図である。
【図３】本発明のフィルム材がインサート成形された成形品を有する局部洗浄用便座を配したトイレ装置を下す斜視図である。
【図４】本発明の便器のロータンクと一体化されたタイプの局部洗浄用便座を設備したトイレ装置を示す斜視図である。
【図５】本発明の片面にシリコーン樹脂層、他面に低融点ポリプロピレン樹脂層をつけてなる熱可塑性樹脂フィルムの断面図である。
【符号の説明】
【００２３】
１…フィルム材
２…雌型
３…吸入孔
４…雌型接触面
５…射出成形用金型面
６…可動型
７…固定型
８…キャビティ
９…射出口
１０…溶融樹脂
１１…樹脂成形品
１２…便器
１３…本体ケース
１４…便座
１５…便蓋
１６…操作盤
１７…ノズルロッド
１８…ノズルヘッド
１９…ロータンク内蔵の本体ケース
２０…熱可塑性樹脂フィルム
２１…熱硬化型シリコーン樹脂層
２２…接着層
２３…シリコーン塗布可能ポリプロピレン層
２４…接着層
２５…低融点ポリプロピレン樹脂層
【図１】
2005161747.tif 000003
【図２】
2005161747.tif 000004
【図３】
2005161747.tif 000005
【図４】
2005161747.tif 000006
【図５】
2005161747.tif 000007